(57)【特許請求の範囲】
【請求項１】
バッテリが取り付けてあり、且つアンテナ用差し込み凹部を有する構成の携帯電話機が装着される携帯電話機装着部を有し、車両内に搭載されるアダプタ本体と、
上記アダプタ本体に上記携帯電話機装着部に臨んで設けてあるアンテナ用コネクタと、
上記アダプタ本体に設けてあり、上記携帯電話機装着部に装着された上記携帯電話機を係止して上記携帯電話機を上記携帯電話機装着部に装着された状態に固定する固定手段とよりなり、
車両内に搭載されて使用され、
上記携帯電話機が上記アダプタ本体の上記携帯電話機装着部に装着されて上記固定手段により固定されると、上記アンテナ用差し込み凹部が上記アンテナ用コネクタと嵌合する構成である携帯電話機用車載アダプタにおいて、
上記アダプタ本体の上記携帯電話機装着部は、上記アンテナ用コネクタが設けてある側と反対側が開口であってバッテリが取り付けてある上記携帯電話機の外形に対応した形状の凹部と、上記凹部の両側の側面壁に形成してあり、上記携帯電話機の両側面の位置決めのための案内溝と嵌合する案内リブとを有し、且つ、上記凹部は、両側の側面壁に、上記携帯電話機に取り付け得る複数種類のバッテリを取り付けたときに同じ位置に同じ形状の面部分を受けて支持する面部を有し、
上記凹部は、先端側に、上記携帯電話機の一端側の部分を載せる置き部を有し、
上記面部は上記アダプタ本体の長手方向に延在して形成してあり、
上記案内リブは、上記置き部から外れた位置から上記アンテナ用コネクタが設けてある方向に延在している構成としたことを特徴とする携帯電話機用車載アダプタ。
【請求項２】
充電端子を有するバッテリが取り付けてあり、且つアンテナ用差し込み凹部を有する構成の携帯電話機が装着される携帯電話機装着部を有し、車両内に搭載されるアダプタ本体と、
上記アダプタ本体に上記携帯電話機装着部に臨んで設けてあるアンテナ用コネクタと、
上記アダプタ本体に上記携帯電話機装着部に臨んで設けてある充電用電源端子と、
上記アダプタ本体に設けてあり、上記携帯電話機装着部に装着された上記携帯電話機を係止して上記携帯電話機を上記携帯電話機装着部に装着された状態に固定する固定手段とよりなり、
車両内に搭載されて使用され、
上記携帯電話機が上記アダプタ本体の上記携帯電話機装着部に装着されて上記固定手段により固定されると、上記アンテナ用差し込み凹部が上記アンテナ用コネクタと嵌合し、上記充電端子が上記充電用電源端子と接続される構成である携帯電話機用車載アダプタにおいて、
上記アダプタ本体の上記携帯電話機装着部は、上記アンテナ用コネクタが設けてある側と反対側が開口であってバッテリが取り付けてある上記携帯電話機の外形に対応した形状の凹部と、上記凹部の両側の側面壁に形成してあり、上記携帯電話機の両側面の位置決めのための案内溝と嵌合する案内リブとを有し、且つ、上記凹部は、両側の側面壁に、上記携帯電話機に取り付け得る複数種類のバッテリを取り付けたときに同じ位置に同じ形状の面部分を受けて支持する面部を有し、
上記凹部は、先端側に、上記携帯電話機の一端側の部分を載せる置き部を有し、
上記面部は上記アダプタ本体の長手方向に延在して形成してあり、
上記案内リブは、上記置き部から外れた位置から上記アンテナ用コネクタが設けてある方向に延在している構成としたことを特徴とする携帯電話機用車載アダプタ。
【請求項３】
請求項１又は２に記載の携帯電話機用車載アダプタにおいて、
装着される上記携帯電話機は、上記案内溝の溝幅より広い爪係止凹部を、両側面の上記案内溝の途中に有する構成であり、
上記案内リブは、途中に、上記案内リブが形成されていない部分を有し、
上記固定手段は、上記アダプタ本体の両側に設けてあり、係止爪部を有し、上記係止爪部が、上記案内リブの途中の案内リブが形成されていない部分において、上記アダプタ本体の上記携帯電話機装着部に突き出している構成であり、
上記係止爪部が、上記携帯電話機の両側面の上記案内溝の途中に有る上記爪係止凹部と係合して上記携帯電話機を上記携帯電話機装着部に装着された状態に固定する構成としたことを特徴とする携帯電話機用車載アダプタ。
【請求項４】
請求項３に記載の携帯電話機用車載アダプタにおいて、
更に、押されると上記係止爪部を上記携帯電話機装着部から後退させる押し釦部を有し、
上記押し釦部は、上記アダプタ本体の両側に露出して設けてあり、
上記携帯電話機を上記携帯電話機装着部から取り外すときに、上記押し釦部が押されて、上記係止爪部が上記爪係止凹部より抜け出る構成としたことを特徴とする携帯電話機用車載アダプタ。
【発明の詳細な説明】
【０００１】
【発明の属する技術分野】
本発明は携帯電話機用車載アダプタに係り、特に、自動車等の車両内に搭載してあり、携帯電話機を車両内で自動車電話として使用出来るようにする携帯電話機用車載アダプタに関する。
【０００２】
一般に、自動車内は、充分に広くなく、且つ充分に明るくなく、しかも、振動しているため、自動車内で、位置を合わせて接続する作業はしにくい。そこで、携帯電話機用車載アダプタは、携帯電話機を自動車電話として使用出来るようにする接続作業等がし易い構造であることが望ましい。
【０００３】
【従来の技術】
図３５は、従来の１例の携帯電話機用車載用アダプタ１０を示す。アダプタ１０は、アダプタ本体１１と、アダプタ本体１１より延びているコード１２の先端のコネクタ１３とを有する。アダプタ本体１１は、自動車１４内に搭載してある。アダプタ本体１１には、自動車１４に備えてあるアンテナ１５よりひきだされているコード１６、及び自動車１４に搭載してあるバッテリ１７よりひきだされている電線１８が、接続してある。
【０００４】
携帯電話機２０を車外で使用していた人が自動車１４に乗り込んだときには、先ず、矢印Ａで示すように、カールコード１２の先端のコネクタ１３を携帯電話機２０の端面の差し込み凹部２１に差し込んで接続し、次いで、矢印Ｂで示すように、携帯電話機２０をアダプタ本体１１の携帯電話機装着部１９に装着する。
【０００５】
これにより、携帯電話機２０は、自動車電話として使用出来るようになり、また、携帯電話機２０のバッテリ２２が自動車１４のバッテリ１７により充電されるようになる。
【０００６】
【発明が解決しようとする課題】
しかるに、従来の携帯電話機用車載アダプタ１０は、矢印Ａで示す接続操作と、矢印Ｂで示す装着操作との二つの操作を必要とし、使い勝手が良くなかった。特に、矢印Ａで示す接続操作にあたっては、コネクタ１３を差し込み部２１に位置及び向きを合わせるというやりにくい作業をする必要があり、使い勝手が良くなかった。
【０００７】
また、カールコード１２は、同軸ケーブル２３を有する構造であるため、高価であり、よって、携帯電話機用車載アダプタ１０はその分高価であった。
そこで、本発明は、上記課題を解決した携帯電話機用車載アダプタを提供することを目的とする。
【０００８】
【課題を解決するための手段】
請求項１の発明は、バッテリが取り付けてあり、且つアンテナ用差し込み凹部を有する構成の携帯電話機が装着される携帯電話機装着部を有し、車両内に搭載されるアダプタ本体と、
上記アダプタ本体に上記携帯電話機装着部に臨んで設けてあるアンテナ用コネクタと、
上記アダプタ本体に設けてあり、上記携帯電話機装着部に装着された上記携帯電話機を係止して上記携帯電話機を上記携帯電話機装着部に装着された状態に固定する固定手段とよりなり、
車両内に搭載されて使用され、
上記携帯電話機が上記アダプタ本体の上記携帯電話機装着部に装着されて上記固定手段により固定されると、上記アンテナ用差し込み凹部が上記アンテナ用コネクタと嵌合する構成である携帯電話機用車載アダプタにおいて、
上記アダプタ本体の上記携帯電話機装着部は、上記アンテナ用コネクタが設けてある側と反対側が開口であってバッテリが取り付けてある上記携帯電話機の外形に対応した形状の凹部と、上記凹部の両側の側面壁に形成してあり、上記携帯電話機の両側面の位置決めのための案内溝と嵌合する案内リブとを有し、且つ、上記凹部は、両側の側面壁に、上記携帯電話機に取り付け得る複数種類のバッテリを取り付けたときに同じ位置に同じ形状の面部分を受けて支持する面部を有し、
上記凹部は、先端側に、上記携帯電話機の一端側の部分を載せる置き部を有し、
上記面部は上記アダプタ本体の長手方向に延在して形成してあり、
上記案内リブは、上記置き部から外れた位置から上記アンテナ用コネクタが設けてある方向に延在している構成としたものである。
【０００９】
請求項２の発明は、充電端子を有するバッテリが取り付けてあり、且つアンテナ用差し込み凹部を有する構成の携帯電話機が装着される携帯電話機装着部を有し、車両内に搭載されるアダプタ本体と、
上記アダプタ本体に上記携帯電話機装着部に臨んで設けてあるアンテナ用コネクタと、
上記アダプタ本体に上記携帯電話機装着部に臨んで設けてある充電用電源端子と、
上記アダプタ本体に設けてあり、上記携帯電話機装着部に装着された上記携帯電話機を係止して上記携帯電話機を上記携帯電話機装着部に装着された状態に固定する固定手段とよりなり、
車両内に搭載されて使用され、
上記携帯電話機が上記アダプタ本体の上記携帯電話機装着部に装着されて上記固定手段により固定されると、上記アンテナ用差し込み凹部が上記アンテナ用コネクタと嵌合し、上記充電端子が上記充電用電源端子と接続される構成である携帯電話機用車載アダプタにおいて、
上記アダプタ本体の上記携帯電話機装着部は、上記アンテナ用コネクタが設けてある側と反対側が開口であってバッテリが取り付けてある上記携帯電話機の外形に対応した形状の凹部と、上記凹部の両側の側面壁に形成してあり、上記携帯電話機の両側面の位置決めのための案内溝と嵌合する案内リブとを有し、且つ、上記凹部は、両側の側面壁に、上記携帯電話機に取り付け得る複数種類のバッテリを取り付けたときに同じ位置に同じ形状の面部分を受けて支持する面部を有し、
上記凹部は、先端側に、上記携帯電話機の一端側の部分を載せる置き部を有し、
上記面部は上記アダプタ本体の長手方向に延在して形成してあり、
上記案内リブは、上記置き部から外れた位置から上記アンテナ用コネクタが設けてある方向に延在している構成としたものである。
【００１０】
請求項３の発明は、請求項１又は２に記載の携帯電話機用車載アダプタにおいて、
装着される上記携帯電話機は、上記案内溝の溝幅より広い爪係止凹部を、両側面の上記案内溝の途中に有する構成であり、
上記案内リブは、途中に、上記案内リブが形成されていない部分を有し、
上記固定手段は、上記アダプタ本体の両側に設けてあり、係止爪部を有し、上記係止爪部が、上記案内リブの途中の案内リブが形成されていない部分において、上記アダプタ本体の上記携帯電話機装着部に突き出している構成であり、
上記係止爪部が、上記携帯電話機の両側面の上記案内溝の途中に有る上記爪係止凹部と係合して上記携帯電話機を上記携帯電話機装着部に装着された状態に固定する構成としたものである。
【００１１】
請求項４の発明は、請求項３に記載の携帯電話機用車載アダプタにおいて、
更に、押されると上記係止爪部を上記携帯電話機装着部から後退させる押し釦部を有し、
上記押し釦部は、上記アダプタ本体の両側に露出して設けてあり、
上記携帯電話機を上記携帯電話機装着部から取り外すときに、上記押し釦部が押されて、上記係止爪部が上記爪係止凹部より抜け出る構成としたものである。
【００１６】
【発明の実施の形態】
〔携帯電話機用車載の実施の形態の概要〕
先ず、本発明の一実施例の携帯電話機用車載アダプタ３０の実施の形態について、図１及び図２を参照して説明する。各図中、図３２に示す構成部分と同一部分には同一符号を付す。
【００１７】
アダプタ３０は、アダプタ本体３１と、アダプタ本体３１に設けてあるアンテナ用コネクタ３２と、充電用電源端子１００−４とを有する。アダプタ本体３１は、携帯電話機２０が装着される携帯電話機装着部３３を有する。アダプタ本体３１は、自動車１４内に搭載してある。コネクタ３２は、携帯電話機装着部３３に臨んで設けてある。コネクタ３２には、コード１６の端が、充電用電源端子１００−４には電線１８の端が接続してある。
【００１８】
携帯電話機２０を車外で使用していた人が自動車１４に乗り込んだときには、矢印Ｃで示すように、差し込み凹部２１を先頭とする向きで、携帯電話機２０をアダプタ本体３１の携帯電話機装着部３３に装着する。
携帯電話機２０を装着すると、差し込み凹部２１がコネクタ３２と接続され、携帯電話機２０は、自動車電話として使用出来るようになり、また、携帯電話機２０のバッテリ２２が自動車１４のバッテリ１７により充電されるようになる。
【００１９】
しかるに、本発明の携帯電話機用車載用アダプタ３０の場合には、矢印Ｃで示す一つの装着操作で足り、コネクタを差し込み凹部２１に位置及び向きを合わせるというやりにくい作業は必要でなく、従来の携帯電話機用車載用アダプタに比べて、使い勝手が良い。
【００２０】
なお、図２に示すように、実際には、自動車１４のバッテリ１７に対しては、コネクタ３２は、シガレットライタコード３５を介して接続してある。また、アダプタ３０には、ハンドフリーマイク３６、スピーカ３７、インターフェイス３８が接続してある。
〔携帯電話機の構成〕
ここで、携帯電話機２０について、図３（Ａ）乃至（Ｄ）を参照して説明する。
【００２１】
携帯電話機２０には、背面側に、Ｓ型バッテリ２２が装着されている。Ｓ型バッテリ２２に替えて、二点鎖線で示すように、Ｌ型バッテリ４１を装着することも出来る。また、Ｍ型バッテリも装着出来る。
図３（Ｂ）に示すように、携帯電話機２０は、図３（Ａ）中、Ｙ１方向の下方の面４２に、凹状の差し込み凹部２１を有する。差し込み凹部２１の奥部に、複数の端子４３が並んでいる。また、面４２には、Ｓ型バッテリ２２の４つの端子４４−１〜４４−４が並んでいる。４４−４は充電端子、４４−３は電池識別用端子、４４−２は温度検出端子、４４−１は接地端子である。なお、上記の面４２は、アンテナ５４が有る側とは反対側の面であり、携帯電話機２０をアダプタ本体３１の携帯電話機装着部３３に装着するときに、先頭になる面である。
【００２２】
ここで、差し込み凹部２１は、図１２（Ａ），（Ｂ）に拡大して示すように、Ｘ１，Ｘ２方向上の内側に、丸み部２１ａ、２１ｂを有し、且つＺ１，Ｚ２の上下側の内側に丸み部２１ｃ、２１ｄを有する。
また、図３（Ｃ）に示すように、携帯電話機２０は、Ｘ１方向の側面４５に、Ｙ１，Ｙ２方向に直線的に延在する案内溝４６を有する。案内溝４６は、略中央部に、爪係止凹部４７を有する。爪係止凹部４７は、案内溝４６の幅ｗ１より広い幅ｗ２を有し、案内溝４６より、Ｚ１方向及びＺ２方向に張り出している。爪係止凹部４７は、長さｌ１を有する。また、案内溝４６のＹ１方向端である始端側４８は、末拡がり状となっている。携帯電話機２０は、Ｘ２方向の側面５０にも、図３（Ｄ）に示すように、上記の案内溝４６と同じ案内溝４６Ａ、及び上記爪係止凹部４７と同じ爪係止凹部４７Ａを有する。また、携帯電話機２０は、表面５１側に開閉可能なフリッパ５２を有する。
〔携帯電話機用車載アダプタの構成〕
次に、本発明の一実施例の携帯電話機用車載アダプタ３０の構成について、図４乃至図１３を参照して説明する。
【００２３】
アダプタ３０は、アダプタ本体３１と、アダプタ本体３１内に組み込まれている、回路基板組立体６０、アンテナ用コネクタ３２、端子１００−１〜１００−４及び、一対の係止爪部材６１，６１Ａ等とを有する。
アダプタ本体３１は、図６に示すように、上ケース６２と、下ケース６３とよりなり、上ケース６２の上面側に、携帯電話機装着部３３を有する。
【００２４】
携帯電話機装着部３３は、図４中、Ｕ字状の囲い部６４によって囲われている凹部６５よりなる。凹部６５は、携帯電話機２０のうちの装着される部分５３、即ち、携帯電話機２０のうちのＹ１方向側の約半分とＺ２方向側の約半分とが占める部分５３に対応する寸法形状を有する。凹部６５は、Ｙ２方向端に、開口６６を有する。Ｕ字状の囲い部６４は、Ｙ１方向端側の基部６４ａと、基部６４ａのＸ１，Ｘ２方向端よりＹ２方向に平行に延在している一対の腕部６４ｂ，６４ｃとよりなる。腕部６４ｂ，６４ｃのＹ２方向端は、Ｚ２方向（下方向）への傾斜面６４ｂ−１，６４ｃ−１となっている。凹部６５は、底板部６７と、開口６６側よりみて奥側の立ち上がっている側壁部６８と、同じく開口６６側よりみてＸ１側の立ち上がっている側壁部６９と、開口６６側よりみてＸ２側の立ち上がっている側壁部７０とを有する。凹部６５は、Ｌ型バッテリ４１が取り付けてある携帯電話機２０の装着部分５３も受け入れることが出来る大きさを有する。
【００２５】
側壁部６９には、案内リブ７１、７２が、Ｙ１、Ｙ２方向に整列して設けてある。また、側壁部６９のうち案内リブ７１と案内リブ７２との間の部位に、開口窓７３が形成してある。同じく、側壁部７０にも、案内リブ７４、７５、開口窓７６が形成してある。
【００２６】
ここで、案内リブ７１は開口６６よりＹ１方向に寸法Ａ後退した位置から延在を開始するように設けてある。よって、凹部６５のうち開口６６寄りの寸法Ａの部分６５ａには、案内リブはなく、この部分６５ａは、携帯電話機２０を装着するに際して、携帯電話機２０のうち差し込み部２１寄り側を置く置き部として機能する。即ち、凹部６５は、開口６６寄りの部分に置き部６５ａを有する。上記腕部６４ｂ，６４ｃのうち、置き部６５ａに対応する部分は、Ｚ２方向（下方向）への傾斜面６４ｂ−１，６４ｃ−１となっており、携帯電話機２０が置き易くなっている。
【００２７】
また、図１０に示すように、案内リブ７１のＹ２方向上先端部７１ａは、半径Ｒ１の曲面部７１ａとなっている。携帯電話機２０を携帯電話機装着部３３に装着する際に、案内溝４６が案内リブ７１に円滑に係合するようにするためである。また、図１１に示すように、略矩形の断面を有する案内リブ７１の上下の縁は、丸み部７１ｂ，７１ｃとなっている。携帯電話機２０の案内溝４６を傷つけないようにするためである。
【００２８】
また、Ｓ型バッテリ２２及びＬ型バッテリ４１は、携帯電話機２０に取付けられた状態において携帯電話機２０に対向する面を基準としてみたときに、同じ位置に、同じ形状の曲面状の面部分２２ａ，２２ｂ，４１ａ，４１ｂを有する。面部分２２ａ（４１ａ）と面部分２２ｂ（４１ｂ）とは、携帯電話機２０の長手方向中心線に関して対称の位置にあって、Ｙ１，Ｙ２方向に延在している。これに対応して、上記凹部６５の両側の側壁部６９、７０には、夫々面部分２２ａ（４１ａ）と同じ面部６９ａ、面部分２２ｂ（４１ｂ）と同じ面部７０ａが、Ｙ１，Ｙ２方向に延在して形成してある。
【００２９】
アンテナ用コネクタ３２は、上ケース６２にネジ止めしてあり、携帯電話機装着部３３に臨んで設けてある。コネクタ３２のうち、先端側の差し込み凸部３２ａが、側壁部６８の開口窓７７より上記凹部６５内に突き出ている。差し込み凸部３２ａは、略直方体形状を有しており、内部に、０．５ｍｍ程度の狭いピッチで並んでいる複数の金属端子９０及び同軸端子９１を有する。ここで、アンテナ用コネクタ３２の差し込み凸部３２ａの上記案内リブ７１、７２、７４、７５に対する位置は、上記携帯電話機２０の差し込み凹部２１の案内溝４６、４６Ａに対する位置と同じ関係となっている。
【００３０】
なお、アンテナ用コネクタ３２には、前記コード１６の端が繋いで接続してある。
図１２（Ａ），（Ｂ）に拡大して示すように、差し込み凸部３２ａは、Ｘ１，Ｘ２方向の両端に、凸部３２ａ−１，３２ａ−２を有する。凸部３２ａ−１，３２ａ−２は、外側に、丸み部３２ａ−１ａ，３２ａ−２ａを有し、且つ上下側に、丸み部３２ａ−１ｂ，３２ａ−２ｂを有する。携帯電話機２０を携帯電話機装着部３３に装着するときに、差し込み凸部３２ａが相対的に携帯電話機２０の差し込み凹部２１に円滑に係合するようにするためである。
【００３１】
また、図３乃至図８に示すように、回路基板組立体６０に固定してある端子１００−１〜１００−４の端子部１００−１ａ〜１００−４ａが、側壁部６８の開口窓７８より並んで上記凹部６５内に突き出ている。１００−４は充電用電源端子、１００−３は電池識別用端子、１００−２は温度検出端子、１００−１は接地端子である。充電用電源端子１００−４は、携帯電話機装着部３３に臨んで設けてある。ここで、端子部１００−１ａ〜１００−４ａの上記案内リブ７１、７２、７４、７５に対する位置は、上記携帯電話機２０に装着してあるＳ型バッテリ２２の４つの端子４４−１〜４４−４の案内溝４６、４６Ａに対する位置と同じ関係となっている。
【００３２】
係止爪部材６１は、図１３（Ａ）乃至（Ｅ）に併せて示すように、軸部６１ａと、軸部６１ａより一方向に延在している第１の腕部６１ｂと、軸部６１ａより第１の腕部６１ｂとは逆方向に延在している第２の腕部６１ｃと、軸部６１ａより第２の腕部６１ｃに対して角度α（約３０度）の方向に延在している、厚さｔが薄い薄板状の第３の腕部６１ｄと、第１の腕部６１ｂの先端の係止爪部６１ｅと、第２の腕部６１ｃ先端の押釦部６１ｆとを有する。係止爪部材６１は、曲げ弾性率の大きい合成樹脂の一つであるポリカーボネイト製であり、上記第３の腕部６１ｄは、板バネとして機能する。係止爪部６１ｅは、図１３（Ｃ）中の爪係止部４７に対応する大きさを有し、上記幅ｗ２に対応する高さａ、上記長さｌ１に対応する幅ｂを有する。
【００３３】
また、図１３（Ｂ）に示すように、第１の腕部６１ｂ、第２の腕部６１ｃ、及び第３の腕部６１ｄの軸部６１ａへの付け根部６１ｇは、曲面としてある。強度を上げる為である。
図６中、係止爪部材６１Ａは、図６中の係止爪部材６１を上下反転した状態としたものであり、係止爪部材６１と同じ部材である。
【００３４】
図５及び図６に示すように、係止爪部材６１は、軸部６１ａを上ケース６２に形成してある軸受部１０１に嵌合させ、且つ、第３の腕部６１ｄを上ケース６２に形成してある止め溝部１０２に係合させて、係止爪部６１ｅが開口窓７３より凹部６５に突き出し、押釦部６１ｆがアダプタ本体３１のＸ１側の側面３１ａに露出した状態で、上記腕部６４ｂ内に組み込まれている。係止爪部材６１Ａは、上記の係止爪部材６１と同様に上記腕部６４ｃ内に組み込まれている。
【００３５】
操作者が手でアダプタ本体３１を挟むようにして指先で押釦部６１ｆ、６１Ａｆを押すと、第３の腕部６１ｄ、６１Ａｄが弾性的に撓んで、係止爪部材６１、６１Ａが少し回動し、係止爪部６１ｅが開口窓７３内に後退し、係止爪部６１Ａｅが開口窓７６内に後退する。指先を押釦部６１ｆ、６１Ａｆから離すと、係止爪部材６１、６１Ａは、第３の腕部６１ｄ、６１Ａｄのバネ力によって戻され、係止爪部６１ｅ、６１Ａｅが夫々開口窓７３、７６より凹部６５に突き出す。
【００３６】
上記の係止爪部材６１、６１Ａと、爪係止凹部４７、４７Ａとが、請求項１、２の固定手段を構成する。
上記の構成のアダプタ３０は、図６に示すように、上ケース６２に対して、全部の部品を取り付けることによって、作業性良く組み立てられる。実際には、上ケース６２を下に置き、この上ケース６２に対して、コネクタ３２、係止爪部材６１、６１Ａを取付け、回路基板組立体６０を置き、下ケース６３を置き、ネジ１０３を締め、下ケース６３を上ケース６２に固定し、回路基板組立体６０を共締めして固定することによって、作業性良く組み立てられる。
〔携帯電話機用車載アダプタへの携帯電話機の装着〕
次に、上記構成のアダプタ３０に、Ｓ型バッテリ２２が取り付けてある携帯電話機２０を装着する操作、及び、携帯電話機２０が装着された状態について説明する。
【００３７】
装着する操作は、図４中、矢印Ｃ１で示す、携帯電話機２０のうち差し込み凹部２１寄り側の部分２０ａを、置き部６５ａに置く操作Ｃ１と、操作Ｃ１に続く、矢印Ｃ２で示す、携帯電話機２０を凹部６５の奥部に押し込む操作Ｃ２とよりなる。
【００３８】
先ず、置く操作Ｃ１について，図１４、図１５を参照して説明する。
腕部６４ｂ，６４ｃのうち、置き部６５ａに対応する部分が、Ｚ２方向（下方向）への傾斜面６４ｂ−１，６４ｃ−１となっているため、携帯電話機２０のうち差し込み部２１寄り側の部分２０ａは、腕部６４ｂと腕部６４ｃとの間に円滑に入り込み、置く操作Ｃ１は円滑に成される。
【００３９】
置く操作Ｃ１が完了した状態では、図１５に示すように、Ｓ型バッテリ２２の面部分２２ａ，２２ｂが、夫々側壁部６９、７０の面部６９ａ，７０ａによって支持された状態となる。携帯電話機２０は、案内溝４６，４６Ａが、案内リブ７１、７４に対向する高さ位置とされる。
【００４０】
次いで、押し込む操作Ｃ２について説明する。
押し込む操作Ｃ２は、置く操作Ｃ１が完了した状態の携帯電話機２０を矢印Ｙ１方向に凹部６５の奥部まで、即ち、図１６、図１７に示す位置まで摺動させることにより成される。
【００４１】
置き部６５ａに置かれた携帯電話機２０を矢印Ｙ１方向に摺動させると、直ぐに、案内溝４６、４６Ａが夫々案内リブ７１、７４と嵌合する。ここで、携帯電話機２０は、側壁部６９、７０の面部６９ａ，７０ａによって支持されて、案内溝４６，４６Ａが、案内リブ７１、７４に対向する高さに位置しているため、更には、上記の末拡がり状の始端側４８、及び曲面７１ａの作用によって、案内溝４６、４６Ａは夫々案内リブ７１、７４と円滑に嵌合する。
【００４２】
以後は、案内溝４６、４６Ａは、夫々案内リブ７１、７４と嵌合し、続いて、更に案内リブ７２、７５と嵌合する。携帯電話機２０は、幅方向（Ｘ１，Ｘ２方向）上両側を案内リブ７１、７２、７４、７５により案内されて、アダプタ３０上の高さ位置を規制されつつ移動される。途中の位置で、携帯電話機２０は、係止爪部６１ｅ、６１Ａｅを押し退ける。係止爪部材６１、６１Ａは、第３の腕部６１ｄ、６１Ａｄのバネ力によって、係止爪部６１ｅ、６１Ａｅが夫々開口窓７３、７６より凹部６５に突き出す方向に付勢された状態とされる。
【００４３】
携帯電話機２０の最終段階の移動により、次の４つの動作が行われる。
▲１▼  携帯電話機２０がアンテナ用コネクタ３２と電気的に接続される。即ち、図１８（Ａ），（Ｂ）に示すように、携帯電話機２０の差し込み凹部２１が、アンテナ用コネクタ３２の差し込み凸部３２ａと嵌合して、端子４３が金属端子９０及び同軸端子９１と電気的に接続される。ここで、携帯電話機２０は、案内リブ７１、７２、７４、７５により案内されて、高さ位置を規制され、差し込み凹部２１が差し込み凸部３２ａと対向しているため、更には、図１２（Ａ），（Ｂ）に拡大して示す、凸部３２ａ−１，３２ａ−２及び丸み部２１ａ、２１ｂ、２１ｃ、２１ｄ、３２ａ−１ａ，３２ａ−２ａ、３２ａ−１ｂ，３２ａ−２ｂによる案内作用によって、差し込み凹部２１が差し込み凸部３２ａに円滑に係合する。
【００４４】
▲２▼  Ｓ型バッテリ２２が端子１００−１〜１００−４と電気的に接続される。即ち、図１７に示すように、携帯電話機２０に装着してあるＳ型バッテリ２２の４つの端子４４−１〜４４−４が、端子１００−１〜１００−４の端子部１００−１ａ〜１００−４ａに押し当たる。ここで、携帯電話機２０は、案内リブ７１、７２、７４、７５により案内されて、高さ位置を規制されているため、端子４４−１〜４４−４は確実に端子部１００−１ａ〜１００−４ａに押し当たる。
【００４５】
▲３▼  携帯電話機２０がアダプタ本体３１に自動的に機械的ロックされる。即ち、携帯電話機２０の最終位置まで移動されると、爪係止凹部４７、４７Ａが係止爪部６１ｅ、６１Ａｅと対向する。この状態に到ると、係止爪部材６１、６１Ａは、第３の腕部６１ｄ、６１Ａｄのバネ力によって、係止爪部６１ｅ、６１Ａｅが夫々開口窓７７、７８より凹部６５に突き出す方向に回動し、図１９（Ａ），（Ｂ）、（Ｃ）に示すように、係止爪部６１ｅ、６１Ａｅが夫々爪係止凹部４７、４７Ａ内に入り込んで爪係止凹部４７、４７Ａを係止する。これにより、携帯電話機２０は、Ｙ２方向の移動を制限されてロックされる。
【００４６】
▲４▼  図１６に示すように、Ｓ型バッテリ２２の端面の１対の凸部２２ｃ，２２ｄが、凹部６５の奥側の立ち上がっている側壁部６８の１対の凹部８０、８１に嵌合する。
以上の操作によって、図１６、図１７に示すように、アダプタ３０に携帯電話機２０が装着される。アダプタ３０に携帯電話機２０が装着されると、図１に示すように、携帯電話機２０は、自動車１４に備えてあるアンテナ１５と接続されて自動車電話の操作部として使用出来るようになる。なお、自動車電話の操作部として使用する際には、フリッパ５２を開く。なお、携帯電話機２０は、自動車１４に搭載してあるバッテリ１７を電源として動作する。また、Ｓ型バッテリ２２は、自動車１４に搭載してあるバッテリ１７によって充電が開始される。
【００４７】
上記より分かるように、携帯電話機２０を自動車電話の操作部として使用出来るようにするためには、図３２に示すように、カールコード１２の先端のコネクタ１３を位置及び向きを合わせて携帯電話機２０の差し込み凹部２１に差し込むという面倒な作業は必要でなく、アダプタ３０に携帯電話機２０を装着する一つの操作だけで足りる。よって、アダプタ３０は、従来のアダプタに比べて格段に使い勝手が良い。
【００４８】
ここで、携帯電話機２０がアダプタ３０に装着されている状態について、追加して説明する。
図１９（Ｃ）に示すように、Ｚ１，Ｚ２方向上、係止爪部６１ｅが爪係止凹部４７と係止する部位は、上端の部位１１０と下端の部位１１１である。よって、携帯電話機２０は、案内リブ７１、７２、７４、７５に加えて、係止爪部材６１、６１Ａによってもアダプタ３０に対してＺ１，Ｚ２方向上位置決めされる。
【００４９】
また、図１５に示すように、Ｓ型バッテリ２２の面部分２２ａ，２２ｂが、夫々側壁部６９、７０の面部６９ａ，７０ａによって支持されている。このため、例えば、手のひらを携帯電話機２０の上面に置いて強く押した場合に、この力は面部６９ａ，７０ａによってがっちりと受け止められ、案内リブ７１、７２、７４、７５は破損を防止される。
【００５０】
次に、アダプタ３０に装着されている携帯電話機２０をアダプタ３０より取り外す操作、及び動作について説明する。
携帯電話機２０をアダプタ３０より取り外すには、操作者が、片方の手でアダプタ本体３１を挟むようにして指先で押釦部６１ｆ、６１Ａｆを押し、他方の手で携帯電話機２０のうちアダプタ３０より突き出ているアンテナ側の部分を掴んでＹ２方向に引く。
【００５１】
押釦部６１ｆ、６１Ａｆが押されると、係止爪部材６１、６１Ａが図１９（Ｂ）中二点鎖線で示すように回動し、係止爪部６１ｅ、６１Ａｅが夫々爪係止凹部４７、４７Ａより抜け出し、携帯電話機２０に対するロックが解除される。
この状態で携帯電話機２０をＹ２方向に引くことによって、携帯電話機２０はアダプタ３０より抜け出してアダプタ３０より取り外される。
【００５２】
携帯電話機２０は、Ｓ型バッテリ２２が充電された状態でアダプタ３０より取り外され、携帯電話機として使用される。
Ｌ型バッテリ４１が取り付けてある携帯電話機２０は、図２０に示すように、Ｌ型バッテリ４１を凹部６５内一杯に納められて、且つ、曲面状の面部分４１ａ，４１ｂを、夫々、々側壁部６９、７０の面部分６９ａ，７０ａによって支持された状態で装着される。
【００５３】
図３（Ｂ）に示すように、Ｓ型バッテリ２２の端面の１対の凸部２２ｃ，２２ｄは、Ｓ型バッテリ２２の厚さ方向中心２２ｅよりずれた位置に設けてある。このため、図２１に示すように、Ｓ型バッテリ２２を単体で、且つ表裏反転した向きでアダプタ３０に挿入した場合には、凸部２２ｃ，２２ｄが、凹部６５の奥側の側壁部６８の１対の凹部８０、８１に嵌合せず、Ｓ型バッテリ２２は凸部２２ｃ，２２ｄが側壁部６８に当接した状態で挿入を制限され、端子４４−１〜４４−４は、端子１００−１〜１００−４の端子部１００−１ａ〜１００−４ａに接触しない。これにより、端子４４−１〜４４−４が、対応しない端子１００−１〜１００−４と接触してしまう事故が防止される。
〔係止爪部材の変形例〕
図２２は係止爪部材の変形例を示す。係止爪部材６１−１は、図１３に示す係止爪部材６１より第２の腕部６１ｃ及び押釦部６１ｆを取り除いた構成である。図２２中、図１３に示す構成部分と同じ構成部分には同一符号を付す。係止爪部材６１−１は、図２２（Ａ）乃至（Ｅ）に併せて示すように、軸部６１ａと、第１の腕部６１ｂと、第１の腕部６１ｂに対して角度β（約１５０度）の方向に延在している、薄板状の第３の腕部６１ｄと、第１の腕部６１ｂの先端の係止爪部６１ｅとを有する。
【００５４】
図２３、図２４は、係止爪部材６１−１、６１Ａ−１が、組み込まれている携帯電話機用車載アダプタ３０−１を示す。
上記構成のアダプタ３０−１に、Ｓ型バッテリが取り付けてある携帯電話機２０を装着する操作は、前記のアダプタ３０に対する場合と同じであり、携帯電話機２０を矢印Ｃ２で示すように、凹部６５の奥部に押し込むことによりなされる。
【００５５】
携帯電話機２０をアダプタ３０−１より取り外すときには、携帯電話機２０を矢印Ｃ２と反対方向に引き出す。携帯電話機２０に矢印Ｃ２と反対方向の力が加わると、薄板状の第３の腕部６１ｄが一時的に撓み、係止爪部６１ｅ、６１Ａｅが夫々開口窓７３，７６内に後退し、係止凹部４７、４７Ａより抜け出し、携帯電話機２０に対するロックが解除される。続いて、携帯電話機２０はアダプタ３０−１より抜け出してアダプタ３０−１より取り外される。携帯電話機２０がアダプタ３０−１より取り外されると、第３の腕部６１ｄがスプリングバックし、係止爪部６１ｅ、６１Ａｅが夫々開口窓７３，７６より突き出る。
〔付加機能モジュール〕
次に、携帯電話機２０にオプションとして取り付けられる付加機能モジュールについて説明する。
【００５６】
図２５、２６、２７はバイブレータモジュール２００を示す。バイブレータモジュール２００は、本体２０１と、本体２０１に、このＸ１，Ｘ２方向の両側よりＹ２方向に延びて設けてある係止腕２０２、２０３とを有する。係止腕２０２、２０３は、先端に爪部２０２ａ，２０３ａを有し、基部に押し釦部２０２ｂ，２０３ｂを有し、バネ２０４、２０５によって先端の爪部２０２ａ，２０３ａが互いに近づく方向に付勢されている。
【００５７】
また、本体２０１内には、回路基板組立体２０６が組み込んである。回路基板組立体２０６は、回路基板２０７に、偏心錘２０８を回転させるモータ２０９、及びコネクタ３２等が固定され、且つ、図２８に示す回路を有する構成である。バイブレータモジュール２００は、係止腕２０２、２０３の間に携帯電話機２０が入るように携帯電話機２０の面４２側からはめ込み、爪部２０２ａ，２０３ａを爪係止凹部４７、４７Ａに係止させて取り付けられる。取り付けられた状態において、コネクタ３２の先端側の差し込み凸部３２ａが携帯電話機２０の差し込み凹部２１に嵌合して電気的に接続された状態となる。携帯電話機２０が呼び出し信号を受信したときに、バイブレータモジュール２００内のモータ２０９が起動し、振動して、操作者に着信を振動にて知らせる。
【００５８】
図２９は、音声録音／再生モジュール２２０を示す。モジュール２２０は、外形は上記のバイブレータモジュール２００と同じであり、内部に、音声録音／再生制御回路２２１、及びコネクタ３２等が組み込まれている。このモジュール２２０は、使用者が不在のときに、上記のバイブレータモジュール２００と同じく携帯電話機２０に取り付けられる。このモジュール２２０が携帯電話機２０に取り付けられていることによって、着信内容が録音され、後に再生される。
【００５９】
図３０は、充電器モジュール２３０を示す。モジュール２３０は、外形は上記のバイブレータモジュール２００と同じであり、内部に、充電回路２３１、端子２３２−１〜２３２−４、ＤＣジャック２３３等が組み込まれている。このモジュール２２０は、Ｓ型バッテリ２２又Ｌ型バッテリ４１を充電するときに、上記のバイブレータモジュール２００と同じく携帯電話機２０に取り付けられ、電源コネクタをＤＣジャック２３３に接続することによりＳ型バッテリ２２又Ｌ型バッテリ４１が充電される。
【００６０】
なお、上記の端子２３２−１〜２３２−４は、図３１（Ａ），（Ｂ）に示すように、一端が繋ぎバー部２３４に連結された状態で、曲げ加工され、且つモジュール２３０内に取り付けられ、最後に、繋ぎバー部２３４が切り落とされることによって、作業性良く、モジュール２３０内に取り付けられる。
【００６１】
図３２、３３は、バイブレータモジュール２００の変形例を示す。図２９のバイブレータモジュール２００Ａは、係止腕部２４０、２４１を本体２０１と一体に有する。図３３のバイブレータモジュール２００Ｂは、金属板バネ２５０、２５１の先端に係止爪２５２、２５３を有する構造の係止腕２５４、２５５を有する。
【００６２】
図３４に示すように、上記のバイブレータモジュール２００は、携帯電話機２０の下方側に取り付けられるため、携帯電話機２０の上部の裏面は空き空間となっている。よって、バイブレータモジュール２００が取り付けられていても、ベルトクリップ２６０は、上記の空き空間を利用して携帯電話機２０の上部の裏面に支障なく取り付けられる。
【００６３】
【発明の効果】
上述の如く、請求項１及び請求項２の発明によれば、アダプタ本体の携帯電話機装着部は、アンテナ用コネクタが設けてある側と反対側が開口であってバッテリが取り付けてある上記携帯電話機の外形に対応した形状の凹部と、上記凹部の両側の側面壁に形成してあり、上記携帯電話機の両側面の位置決めのための案内溝と嵌合する案内リブとを有し、且つ、上記凹部は、両側の側面壁に、上記携帯電話機に取り付け得る複数種類のバッテリを取り付けたときに同じ位置に同じ形状の面部分を受けて支持する面部を有し、上記凹部は、先端側に、上記携帯電話機の一端側の部分を載せる置き部を有し、上記面部は上記アダプタ本体の長手方向に延在して形成してあり、上記案内リブは、上記置き部から外れた位置から上記アンテナ用コネクタが設けてある方向に延在している構成であるため、携帯電話機に取り付けてあるバッテリの種類の如何に関係なく、携帯電話機のうちアンテナ用差し込み凹部の側を置き部に載せ、上記面部上を、アンテナ用コネクタ側に滑らせるという同じ操作を行うことによって、特に位置合わせを行わないで、携帯電話機を、そのアンテナ用差し込み凹部がアンテナ用コネクタと嵌合した状態で、アダプタ本体の携帯電話機装着部に装着することが出来、携帯電話機の装着を操作性良く行うことが出来る。また、操作者が手のひらを装着してある携帯電話機の上面に置いて強く押した場合に、この力は面部分によってがっちりと受け止められ、案内リブ等が破損することを防止出来る。
【００６７】
請求項３の発明によれば、請求項１又は２に記載の携帯電話機用車載アダプタにおいて、装着される上記携帯電話機は、上記案内溝の溝幅より広い爪係止凹部を、両側面の上記案内溝の途中に有する構成であり、上記案内リブは、途中に、上記案内リブが形成されていない部分を有し、上記固定手段は、上記アダプタ本体の両側に設けてあり、係止爪部を有し、上記係止爪部が、上記案内リブの途中の案内リブが形成されていない部分において、上記アダプタ本体の上記携帯電話機装着部に突き出している構成であり、上記係止爪部が、上記携帯電話機の両側面の上記案内溝の途中に有る上記爪係止凹部と係合して上記携帯電話機を上記携帯電話機装着部に装着された状態に固定する構成としたものであるため、係止爪部を案内リブから離して配置した構成に比べて、携帯電話機用車載アダプタの小型化を図る上で有利である。また、携帯電話機をアダプタに装着すると自動的に係止爪部が係止凹部と係合するため、固定する操作は必要でなく、使い勝手が良いアダプタを実現出来る。
【００６８】
請求項４の発明によれば、請求項３に記載の携帯電話機用車載アダプタにおいて、更に、押されると上記係止爪部を上記携帯電話機装着部から後退させる押し釦部を有し、上記押し釦部は、上記アダプタ本体の両側に露出して設けてあり、上記携帯電話機を上記携帯電話機装着部から取り外すときに、上記押し釦部が押されて、上記係止爪部が上記爪係止凹部より抜け出る構成であるため、携帯電話機を上記携帯電話機装着部から取り外す操作を操作性良く行うことが出来る。
【図面の簡単な説明】
【図１】本発明の携帯電話機用車載用アダプタの一実施例の実施の形態を概略的に示す図である。
【図２】本発明の携帯電話機用車載用アダプタの一実施例の実施の形態を示す図である。
【図３】携帯電話機を示す図である。
【図４】本発明の一実施例になる携帯電話機用車載用アダプタの斜視図である。
【図５】図４のアダプタの平面図である。
【図６】図４のアダプタを下側から見て示す分解斜視図である。
【図７】図４のアダプタをＸ１方向からみた図である。
【図８】図４のアダプタをＹ１方向からみた図である。
【図９】図４のアダプタをＹ２方向からみた図である。
【図１０】案内リブ７１のＹ２方向上先端の形状を拡大して示す図である。
【図１１】案内リブ７１の断面形状を拡大して示す図である。
【図１２】アンテナ用コネクタと差し込み凹部とを対応させて示す図である。
【図１３】係止爪部材を示す図である。
【図１４】置く操作を説明する図である。
【図１５】置く操作を説明する図である。
【図１６】アダプタに携帯電話機が装着された状態を示す平面図である。
【図１７】アダプタに携帯電話機が装着された状態を示す側面図である。
【図１８】差し込み凹部がアンテナ用コネクタと接続された状態を示す図である。
【図１９】係止爪が爪係止凹部を係止した状態を示す図である。
【図２０】Ｌ型バッテリーが取り付けてある携帯電話機が装着された状態を示す図である。
【図２１】Ｓ型バッテリーを表裏逆向きでアダプタに装着した場合を示す図である。
【図２２】係止爪部材の変形例を示す図である。
【図２３】図２２の係止爪部材を備えた携帯電話機用車載用アダプタの斜視図である。
【図２４】図２２のアダプタの平面図である。
【図２５】バイブレータモジュールを示す図である。
【図２６】図２５（Ａ）中、ＸＸＶＩ−ＸＸＶＩ  に沿う断面図である。
【図２７】図２５（Ａ）中、ＸＸＶＩＩ−ＸＸＶＩＩ  に沿う断面図である。
【図２８】バイブレータモジュールの回路図である。
【図２９】音声録音／再生モジュールを示す図である。
【図３０】充電器モジュールを示す図である。
【図３１】図３０中の端子を示す図である。
【図３２】バイブレータモジュールの第１の変形例を示す図である。
【図３３】バイブレータモジュールの第２の変形例を示す図である。
【図３４】バイブレータモジュールが取り付けられている状態で、ベルトクリップを取り付けた状態を示す図である。
【図３５】従来の携帯電話機用車載用アダプタの１例を示す図である。
【符号の説明】
１４  自動車
１５  アンテナ
１７  バッテリ
２０  携帯電話機
２０ａ  携帯電話機のうち差し込み凹部寄り側の部分
２１  差し込み凹部
２１ａ，２１ｂ，２１ｃ，２１ｄ  丸み部
２２  Ｓ型バッテリ
２２ａ，２２ｂ  曲面状の面部分
２２ｃ，２２ｄ  凸部
２２ｅ  中心線
３０，３０−１  携帯電話機用車載用アダプタ
３１  アダプタ本体
３１ａ  アダプタ本体のＸ１側の側面
３２  アンテナ用コネクタ
３２ａ  差し込み凸部
３２ａ−１，３２ａ−２  凸部
３２ａ−１ａ，３２ａ−２ａ，３２ａ−１ｂ，３２ａ−２ｂ  丸み部
３３  携帯電話機装着部
３５  シガレットライタコード
３６  ハンドフリーマイク
３７  スピーカ
３８  インターフェイス
４１  Ｌ型バッテリ
４１ａ，４１ｂ  曲面状の面部分
４２  下面
４３  端子
４４−１  接地端子
４４−２  温度検出端子
４４−３  電池識別用端子
４４−４  充電端子
４５，５０  側面
４６，４６Ａ  案内溝
４７，４７Ａ  爪係止凹部
４８、４８Ａ  末拡がり状の始端側
５１  表面
５２  フリッパ
５３  携帯電話機のうちの装着される部分
６０  回路基板組立体
６１，６１Ａ，６０−１  係止爪部材
６１ａ  軸部
６１ｂ  第１の腕部
６１ｃ  第２の腕部
６１ｄ  薄板状の第３の腕部
６１ｅ  係止爪部
６１ｆ  押釦部
６１ｇ  曲面状の付け根部
６２  上ケース
６３  下ケース
６４  Ｕ字状の囲い部
６４ａ  基部
６４ｂ，６４ｃ  腕部
６４ｂ−１，６４ｃ−１  傾斜面
６５  凹部
６５ａ  置き部
６６  開口
６７  底板部
６８，６９，７０  側壁部
６９ａ，７０ａ  面部
７１，７２，７４，７５  案内リブ
７１ａ  曲面部
７１ｂ，７１ｃ  丸み部
７３，７６  開口窓
７７  開口窓
７８  開口窓
８０，８１  凹部
９０  金属端子
９１  同軸端子
１００−１  接地端子
１００−２  温度検出端子
１００−３  電池識別用端子
１００−４  充電用電源端子
１００−１ａ〜１００−４ａ  端子部
１０１  軸受部
１０２  止め溝部
２００，２００Ａ，２００Ｂ  バイブレータモジュール
２０１  本体
２０２、２０３  係止腕
２０２ａ，２０３ａ  爪部
２０４，２０５  バネ
２０６  回路基板組立体
２０７  回路基板
２０８  偏心錘
２０９  モータ
２２０  音声録音／再生モジュール
２２１  音声録音／再生制御回路
２３０  充電器モジュール
２３１  充電回路
２３２−１〜２３２−４  端子
２３３  ＤＣジャック
２３４  繋ぎバー部
２４０，２４１  係止腕部
２５０，２５１  金属板バネ
２５２，２５３  係止爪
２５４，２５５  係止腕
２６０  ベルトクリップ
【図１】
0003612632.tif 000002
【図２】
0003612632.tif 000003
【図３】
0003612632.tif 000004
【図４】
0003612632.tif 000005
【図５】
0003612632.tif 000006
【図６】
0003612632.tif 000007
【図７】
0003612632.tif 000008
【図８】
0003612632.tif 000009
【図９】
0003612632.tif 000010
【図１０】
0003612632.tif 000011
【図１１】
0003612632.tif 000012
【図１２】
0003612632.tif 000013
【図１３】
0003612632.tif 000014
【図１４】
0003612632.tif 000015
【図１５】
0003612632.tif 000016
【図１６】
0003612632.tif 000017
【図１７】
0003612632.tif 000018
【図１８】
0003612632.tif 000019
【図１９】
0003612632.tif 000020
【図２０】
0003612632.tif 000021
【図２１】
0003612632.tif 000022
【図２２】
0003612632.tif 000023
【図２３】
0003612632.tif 000024
【図２４】
0003612632.tif 000025
【図２５】
0003612632.tif 000026
【図２６】
0003612632.tif 000027
【図２７】
0003612632.tif 000028
【図２８】
0003612632.tif 000029
【図２９】
0003612632.tif 000030
【図３０】
0003612632.tif 000031
【図３１】
0003612632.tif 000032
【図３２】
0003612632.tif 000033
【図３３】
0003612632.tif 000034
【図３４】
0003612632.tif 000035
【図３５】
0003612632.tif 000036